(57)【要約】【課題】  硬化収縮時の応力がガラス基板に作用することによって発生する局所的な歪みによって発生する光漏れや色ムラといった表示欠陥を防止した液晶表示素子を提供しようとするものである。【解決手段】  少なくとも、複数の画素電極を有する第一電極基板と第一電極基板に相対する対向電極を有す第二電極基板を有し、第一電極基板と第二電極基板が所定の位置及び間隔でシール部材により貼り合わされた液晶表示素子と、液晶表示素子を配置固定する回路配線基板と、液晶表示素子と回路配線基板とを接続するワイヤーと、ワイヤーを保護するワイヤー保護樹脂と、ワイヤー周辺部に保護樹脂の流れ出しを防止する流れ防止樹脂と、を備える液晶表示デバイスにおいて、液晶表示素子と流れ防止樹脂の間に、流れ防止樹脂より硬化収縮率の小さい緩衝用樹脂を配置した液晶表示デバイスとする。【選択図】  図１
2016109709.tif 000002
【特許請求の範囲】
【請求項１】
少なくとも、
複数の画素電極を有する第一電極基板と該第一電極基板に相対する対向電極を有す第二電極基板を有し、前記第一電極基板と前記第二電極基板が所定の位置及び間隔でシール部材により貼り合わされた液晶表示素子と、
前記液晶表示素子を配置固定する回路配線基板と、
前記液晶表示素子と前記回路配線基板とを接続するワイヤーと、
前記ワイヤーを保護するワイヤー保護樹脂と、
前記ワイヤー周辺部に前記保護樹脂の流れ出しを防止する流れ防止樹脂と、
を備える液晶表示デバイスにおいて、
前記液晶表示素子と前記流れ防止樹脂の間に、前記流れ防止樹脂より硬化収縮率の小さい緩衝用樹脂を配置したことを特徴とする液晶表示デバイス。
【請求項２】
前記液晶表示素子は、ガラス基板からなる前記第一電極基板と、シリコン基板からなる前記第二電極基板とを有し、
前記緩衝用樹脂をガラス基板からなる前記第一電極基板と前記流れ防止樹脂の間に配置したことを特徴とする請求項１記載の液晶表示デバイス。
【請求項３】
前記流れ出し防止樹脂は、チクソトロピー指数３．０から４．０のエポキシ樹脂、またはシリコン系樹脂であることを特徴とする請求項１または２に記載の液晶表示デバイス。
【請求項４】
前記液晶表示素子と前記流れ出し防止樹脂の間に介在させる樹脂は、硬化収縮率２％以下の湿気硬化型接着剤であることを特徴とする請求項１から３のいずれか１つに記載の液晶表示デバイス。
【請求項５】
前記回路配線基板は、接着手段を介して補強板に接着されたフレキシブル基板であることを特徴とする請求項１から４いずれか１つに記載の液晶表示デバイス。
【請求項６】
前記補強基板は、４２アロイ、またはセラミックスであることを特徴とする請求項５記載の液晶表示デバイス。
【発明の詳細な説明】
【技術分野】
【０００１】
本発明は、液晶表示デバイスに関するものである。
【背景技術】
【０００２】
ＬＣＯＳ（Ｌｉｑｕｉｄ  Ｃｒｙｓｔａｌ  Ｏｎ  Ｓｉｌｉｃｏｎ）と呼ばれる液晶表示デバイスは、表面に画素電極が形成されたシリコン基板と、それに相対し表面に対向透明電極が形成されたガラス基板を所定の位置関係で貼り合わせ、基板間に液晶を注入した液晶表示素子を回路配線基板に固定し、液晶表示素子のパッドと回路配線基板のパッドをワイヤーで接続し、ワイヤー部分とワイヤー周辺部分にワイヤー保護樹脂を塗布して硬化させるのが一般的な手法である。
【０００３】
製造工程内の加熱工程や温度サイクル試験などの環境試験におけるワイヤー部分へのストレス発生によるワイヤーの変形や断線を防止するためワイヤー保護樹脂には粘度の低い樹脂が使われるが、未硬化の状態では周囲に広がりやすいため、例えば特許文献１のように、ワイヤー保護樹脂塗布部周辺に保護樹脂流れ防止樹脂を塗布して粘度の低いワイヤー保護樹脂の流れ出しを防止することがしられている。
【０００４】
また、保護樹脂流れ防止樹脂としては、コストと取り扱いが容易であることからシリコン樹脂が広く使用されているが、低分子シロキサンによる接点阻害防止の観点から低分子シロキサンを含有するシリコン樹脂の使用が制限される場合には、エポキシ系樹脂や樹脂成型部品を使用するなどの流れ出し防止手段が用いられる。
【先行技術文献】
【特許文献】
【０００５】
【特許文献１】特開２００６−３０８８２２号公報
【発明の概要】
【発明が解決しようとする課題】
【０００６】
図３は、従来技術による液晶表示デバイスを示す図である。従来技術によると、流れ防止樹脂５はワイヤー７周辺を囲むように形成され、保護樹脂８が充填されるが、硬化収縮の大きな材料を流れ防止樹脂５に使用する場合には、硬化収縮時の応力がガラス基板３ａに作用することによって、流れ防止樹脂５とガラス基板３ａの接点を中心とした局所的な歪みが発生することになる。
【０００７】
この局所的な歪みは、表面に画素電極が形成されたシリコン基板３ｂとそれに相対し表面に対向透明電極が形成されたガラス基板３ａを貼り合わせている周辺シール剤と注入されている液晶層にも作用するため、光漏れや色ムラといった表示欠陥の原因となる。
【０００８】
本発明は、流れ防止樹脂の硬化収縮時の応力によって生じる表示欠陥を防止した液晶表示デバイスを提供することを目的とする。
【課題を解決するための手段】
【０００９】
少なくとも、複数の画素電極を有する第一電極基板と第一電極基板に相対する対向電極を有す第二電極基板を有し、第一電極基板と第二電極基板が所定の位置及び間隔でシール部材により貼り合わされた液晶表示素子と、液晶表示素子を配置固定する回路配線基板と、液晶表示素子と回路配線基板とを接続するワイヤーと、ワイヤーを保護するワイヤー保護樹脂と、ワイヤー周辺部に保護樹脂の流れ出しを防止する流れ防止樹脂と、を備える液晶表示デバイスにおいて、液晶表示素子と流れ防止樹脂の間に、流れ防止樹脂より硬化収縮率の小さい緩衝用樹脂を配置した液晶表示デバイスとする。
【００１０】
液晶表示素子は、ガラス基板からなる第一電極基板と、シリコン基板からなる第二電極基板とを有し、緩衝用樹脂をガラス基板からなる第一電極基板と流れ防止樹脂の間に配置した液晶表示デバイスとする。
【００１１】
流れ出し防止樹脂は、チクソトロピー指数３．０から４．０のエポキシ系樹脂、またはシリコン系樹脂である液晶表示デバイスとする。
【００１２】
液晶表示素子と流れ防止樹脂の間に介在させる緩衝用樹脂は、硬化収縮率２％以下の湿気硬化型接着剤である液晶表示デバイスとする。
【００１３】
回路配線基板は、接着手段を介して補強板に接着されたフレキシブル基板である液晶表示デバイスとする。
【００１４】
補強基板は、４２アロイ、またはセラミックスである液晶表示デバイスとする。
【発明の効果】
【００１５】
本発明によれば、液晶表示素子と流れ防止樹脂の間に硬化収縮率の小さい樹脂を配置することにより、流れ防止樹脂の硬化収縮による液晶表示素子への応力を緩和し、光漏れや色ムラといった不均一な液晶配向を防止することが可能となり、表示欠陥を防止した液晶表示デバイスを提供することができる。
【図面の簡単な説明】
【００１６】
【図１】本発明による液晶表示デバイスの第一の実施形態を示す（Ａ）上面図、（Ｂ）側面図、（Ｃ）Ａ−Ａ断面図
【図２】本発明による液晶表示デバイスの第二の実施形態を示す（Ａ）上面図、（Ｂ）側面図、（Ｃ）Ａ−Ａ断面図
【図３】従来技術による液晶表示デバイスを示す（Ａ）上面図、（Ｂ）側面図、（Ｃ）Ａ−Ａ断面図
【発明を実施するための形態】
【実施例１】
【００１７】
図１は、本発明による液晶表示デバイスの第一の実施形態を示す（Ａ）上面図、（Ｂ）側面図、（Ｃ）Ａ−Ａ断面図である。本実施例は、図３に示した従来技術による液晶表示デバイス１０と基本構成は同じであるため、基本構成についての説明は省略して、本実施例における特徴点についてのみ説明をする。
【００１８】
まず、本実施例が従来技術と異なるのは、液晶表示素子３の基板３ａと流れ防止樹脂５の間に緩衝用樹脂１１を配置していることである。この緩衝用樹脂１１は、流れ防止樹脂５より硬化収縮率が小さいため、流れ防止樹脂５の硬化収縮時の液晶表示素子３への応力を緩和する働きをする。
【００１９】
製造工程においては、まずワイヤー７周辺を囲むようにチクソ性の高い流れ防止樹脂５を塗布形成し、次に硬化収縮率の小さい緩衝用樹脂１１を塗布した後、ワイヤー保護樹脂８を充填する。
【００２０】
流れ防止樹脂５は、ワイヤー保護樹脂８を充填し硬化するまで塗布直後に近い形状を保つ必要がある。形状が保たれない場合には、充填したワイヤー保護樹脂８が流れ出してワイヤー７が露出してしまうため、評価の結果では、作業性と形状安定性を考慮すると３．０〜４．０のチクソトロピー指数を示す材料が好ましい。
【００２１】
また、緩衝用樹脂１１は、硬化収縮が小さいという特性の他、局所的にはワイヤー保護樹脂８の流れ出し防止の役割を果たすため若干のチクソ性も必要とされるが、タックフリータイムとのバランスと、液晶層への影響を評価することにより適宜選択することが可能である。評価の結果では、硬化収縮率２％以下の湿気硬化型接着剤において良好な結果が得られた。
【実施例２】
【００２２】
図２は、本発明による液晶表示デバイスの第二の実施形態を示す（Ａ）上面図、（Ｂ）側面図、（Ｃ）Ａ−Ａ断面図である。本実施例は前記実施例１と基本的な要素は同じであるが、回路配線基板１が補強板１３に接着されたフレキシブル基板１２という形態に違いがある。
【００２３】
補強板の材質については、４２アロイやセラミックなど、液晶表示素子の要求品質が満たされるものを適宜選択する。
【００２４】
本実施形態においても、第一の実施形態と同様に、緩衝用樹脂１１を、液晶表示素子３と流れ防止樹脂５の間に配置しているので、液晶表示素子３への応力を緩和し、表示欠陥を防止した液晶表示デバイス１０となる。
【００２５】
なお、ＬＣＯＳ構造の反射型液晶表示デバイスを例に説明を行ったが、本発明は対向する２枚の基板が共に透明な透過型液晶表示デバイスに対しても適用可能である。
【符号の説明】
【００２６】
１    回路配線基板
２    回路配線基板のパッド
３    液晶表示素子
３ａ  基板（ガラス基板）
３ｂ  基板（シリコン基板）
４    液晶表示素子のパッド
５    流れ防止樹脂
６    導電接着材
７    ワイヤー
８    ワイヤー保護樹脂
１０    液晶表示デバイス
１１    緩衝用樹脂
１２    フレキシブル基板
１３    補強板
【図１】
2016109709.tif 000003
【図２】
2016109709.tif 000004
【図３】
2016109709.tif 000005